(57)【特許請求の範囲】
【請求項１】
利用者に操作誘導画面を表示する表示手段と、該表示手段上に設けられ利用者からの入力を受け付ける入力手段とを有する顧客操作部と、
前記操作誘導画面に表示する操作誘導画面データを記憶する画面記憶部と、
利用者の生体情報を取得する生体情報入力部と、
ホスト装置との通信を行うホスト通信部と、
貨幣の計数を行う貨幣計数部と、
操作誘導画面に第１の領域と第２の領域を設け、
第１の領域は利用者に対して取引の操作を案内し、利用者の入力に従って取引操作を進行させる第１の制御部と、
第２の領域は利用者に生体情報を取得するための案内する表示を行い、利用者の生体情報を前記生体情報入力部より取得する第２の制御部と、
前記第１の制御部による取引操作の進行と前記第２の制御部による生体情報の取得とを並行して動作させるように前記各部を制御し、利用者の入力による取引操作の終了に基づく第１の制御部の動作終了を判定すると、前記第２の制御部による生体情報の入力の終了に関わらず、ホスト通信部または貨幣計数部の動作を開始させる第３の制御部とを有することを特徴とする自動取引装置。
【請求項２】
請求項１記載の自動取引装置において、前記第３の制御部は、
前記第１の制御部による取引操作または前記第２の制御部による生体情報の入力の終了を判定すると、終了を判定した制御部が制御する操作誘導画面の領域に該制御部の関係する操作が終了した案内表示を行うとともに、
終了を判定していない制御部が制御する操作誘導画面の領域には該制御部に関係する案内表示を行うことを特徴とする自動取引装置。
【請求項３】
請求項１記載の自動取引装置において、前記第３の制御部は、
前記第１の制御部による取引操作または前記第２の制御部による生体情報の入力の終了を判定すると、
終了を判定していない制御部が制御する案内表示を、前記第１の領域と前記第２ の領域を含む領域に行うことを特徴とする自動取引装置。
【発明の詳細な説明】
【技術分野】
【０００１】
本発明は、金融機関等に設置され、顧客が操作を行う自動取引装置等に関し、特に手のひら静脈や指静脈等の生体認証機能を備えた自動取引装置に関する。
【背景技術】
【０００２】
近年、キャッシュカードやクレジットカードの偽造等による不正が多発している。また、暗証番号ののぞき見もよく行われており、暗証番号による認証だけでは利用者の資産を安全に保護することが出来なくなりつつある。
【０００３】
そこで、このような課題を解決するため、生体情報を利用した認証が提案されている。この生体情報を利用した認証では、キャッシュカード（ＩＣカード）に利用者の手のひら静脈や指の静脈の情報（生体情報）を暗号化して記録する。取引実行時には、自動取引装置は利用者の生体情報を読み取り、キャッシュカードに情報を送信し、キャッシュカード上のＩＣチップが予め記憶されている生体情報と比較し、認証する。
【０００４】
次に、生体認証を利用した「お引出し」処理の具体的な流れを図１４に従って説明する。ＳＡ１では、自動取引装置は取引画面を表示する。ＳＡ２では、利用者は「お引出し」を選択する。自動取引装置は、利用者にカード挿入を促す画面を表示し、カード挿入を待つ（ＳＡ４）。カードが挿入されると、自動取引装置は挿入されたカードがＩＣカードか否かを判断する（ＳＡ５）。ＩＣカードであった場合、自動取引装置は手のひら静脈または指静脈の認証を行うため、生体認証を誘導する画面を表示する（ＳＡ７）。利用者は画面上のガイダンスに従って、手のひらまたは指を認証装置に乗せる。自動取引装置は、手のひら静脈または指静脈の画像を読み取り、ＩＣカードに読み取った画像情報を送信する。ＩＣカードは予め記憶されている生体情報データと自動取引装置から受信した画像情報とを比較し、生体認証を行う。ＩＣカードは自動取引装置に認証の結果を自動取引装置に送信する。自動取引装置は、生体認証が認証された場合（ＳＡ８）、暗証番号の入力画面を表示し、利用者に暗証番号を入力させる（ＳＡ９）。利用者の暗証番号入力を確認すると（ＳＡ１０）、自動取引装置は金額入力画面を表示し（ＳＡ１１）、利用者に引出金額の入力を行わせる。利用者の引出金額の入力を自動取引装置が判断すると（ＳＡ１２）、自動取引装置は口座番号・暗証番号・引出金額等取引に必要な情報の入った電文をホスト装置に送信し、かつ同時に引出金額に相当する貨幣の出金準備を行う（ＳＡ１３）。ホスト装置より取引可能の電文を受信し、かつ出金準備が終了すると、取引明細の印字を行いカード及び明細票を放出し（ＳＡ１４）、貨幣を出金する（ＳＡ１５）。
【特許文献１】特開平０８−５０６７７号公報
【発明の開示】
【発明が解決しようとする課題】
【０００５】
しかしながら、上述した従来の技術では、取引操作に時間がかかるという問題がある。自動取引装置の取引操作時間の短縮は従来から様々な見地で行われてきており、例えば、「１万円引出」「３万円引出」といった定額出金キーを設けたり、ホスト装置との通信と貨幣計数を同時に行う技術等は既に幾つもの金融機関で行われている。しかし、生体認証は新しい機能であり、従来の取引のフローに単に追加されているため、従前に比べ時間がかかる。また、生体認証は利用者の手や指の置き方によって類似度が変化し、置き方が悪いと生体認証のやり直しをすることになり、更に取引操作時間が必要になる。また、ＩＣキャッシュカードは磁気キャッシュカードに比べて通信に時間がかかり、この点からも従来よりも取引操作に時間がかかり、顧客の利便性を損ねることになっている。
【０００６】
本発明は、上記の問題点を解決するためになされたもので、生体認証機能を備えながら、取引操作時間を短縮する手段を提供することを目的とする。
【課題を解決するための手段】
【０００７】
本発明は、上記課題を解決するために、利用者に操作誘導画面を表示する表示手段と、該表示手段上に設けられ利用者からの入力を受け付ける入力手段とを有する顧客操作部と、前記操作誘導画面に表示する操作誘導画面データを記憶する画面記憶部と、利用者の生体情報を取得する生体情報入力部と、ホスト装置との通信を行うホスト通信部と、貨幣の計数を行う貨幣計数部と、操作誘導画面に第１の領域と第２の領域を設け、第１の領域は利用者に対して取引の操作を案内し、利用者の入力に従って取引操作を進行させる第１の制御部と、第２の領域は利用者に生体情報を取得するための案内する表示を行い、利用者の生体情報を前記生体情報入力部より取得する第２の制御部と、前記第１の制御部による取引操作の進行と前記第２の制御部による生体情報の取得とを並行して動作させるように前記各部を制御し、利用者の入力による取引操作の終了に基づく第１の制御部の動作終了を判定すると、前記第２の制御部による生体情報の入力の終了に関わらず、ホスト通信部または貨幣計数部の動作を開始させる第３の制御部とを有することを特徴としたものである。
【０００９】
また、請求項２に係る発明では、請求項１記載の自動取引装置において、前記第３の制御部は、前記第１の制御部による取引操作または前記第２の制御部による生体情報の入力の終了を判定すると、終了を判定した制御部が制御する操作誘導画面の領域に該制御部の関係する操作が終了した案内表示を行うとともに、終了を判定していない制御部が制御する操作誘導画面の領域には該制御部に関係する案内表示を行うことを特徴としたものである。
【００１０】
また、請求項３に係る発明では、請求項１記載の自動取引装置において、前記第３の制御部は、前記第１の制御部による取引操作または前記第２の制御部による生体情報の入力の終了を判定すると、終了を判定していない制御部が制御する案内表示を、前記第１の領域と前記第２の領域を含む領域に行うことを特徴としたものである。
【発明の効果】
【００１２】
このように、本発明は、自動取引装置において、生体認証とその他の動作を同時に行うことにより、取引操作時間を短縮するようにしたため、顧客の利便性が高められるという効果を奏する。
【発明を実施するための最良の形態】
【００１３】
以下に、図面を参照して本発明による自動取引装置の実施例について説明する。
【実施例１】
【００１４】
図１、図１０〜図１３は実施例の自動取引装置の画面表示を説明する図、図２〜図４は実施例の自動取引装置を説明する図、図５は実施例の自動取引装置を示すブロック図、図６は実施例の記憶部１１の構成を示す図である。また、図７は実施例の自動取引装置で用いられるＩＣキャッシュカードを示すブロック図、図６は実施例の記憶部１９の構成を示す図である。また、図９は実施例の処理の流れを説明する図である。
【００１５】
図２から図６において、１は自動取引装置であり、金融機関等の営業店・郵便局やコンビニエンスストア等の店舗に設置され、利用者との間で現金の取引を自動で行う。
【００１６】
２は表示部であり、ＣＲＴや液晶パネル等で構成され、利用者に対して操作案内や口座残高等、操作誘導画面の表示を行う。また、表示部２に重ねるように入力部７が設けられている。入力部７は赤外線方式等のタッチパネルであり、利用者が入力部７をタッチすると、タッチした座標が入力される。表示部２にボタン画像を表示し、利用者が入力部７をタッチすることにより、ボタン画像に表示された数字・取引科目等の情報が入力されるよう機能している。表示部２と入力部７から顧客操作部６を構成する。
【００１７】
５は生体情報入力部であり、自動取引装置１の操作パネル１５上の顧客操作部６の右側にあり、利用者の手のひらの映像を赤外線カメラで撮影する。撮影した手のひらの映像は主制御部８で静脈の模様がはっきりするように加工され、生体認証に利用される。なお、生体情報入力部には図４で示すように手１６の手のひらを生体情報入力部５に重ねるようにして生体情報の取得を行う。
【００１８】
３はカード処理部であり、利用者が挿入したキャッシュカード・クレジットカード等のカードから利用者の口座番号・会員番号等を読み取る。なお、カード処理部３は磁気カードのほか、ＩＣカードも取扱えるようにＩＣカードコンタクトも備える。また、カード処理部３には明細票処理部１２が組み込まれており、利用者に対して明細票（レシート）を印字し放出する。
【００１９】
４は紙幣処理部であり、利用者に対して紙幣収納部から紙幣を出金し、また利用者が挿入した紙幣を計数し、紙幣収納部に格納する。
９は通信部であり、ホストコンピュータ１４との間の通信を電話回線・専用回線やインターネット等を通して行う。
１０は音声出力部であり、利用者に対して「いらっしゃいませ」「金額を入力し確認を押して下さい」といった利用案内を音声によって出力する。
【００２０】
１３は通帳処理部であり、利用者が挿入した通帳の磁気ストライプを読取り、また、利用者の取引情報を通帳に印字する。
１４は金融機関等のセンタに設置されたホストコンピュータであり、店舗に設置されている自動取引装置１と通信回線を介して接続しており、顧客の口座の口座番号やその暗証番号、口座残高等の顧客情報を顧客ファイルとして保有して顧客の口座を管理する。
【００２１】
８は自動取引装置１の主制御部であり、通信部９によって通信回線を介してホストコンピュータ１３と接続しており、自動取引装置１内の各部を制御して取引処理等を実行すると共にデータ通信等も制御する。
１１は記憶部であり、主制御部８が実行するプログラムやそれに用いる各種のデータおよび主制御部８による処理結果等が格納される。
【００２２】
以下記憶部１１の記憶内容について図６に従って説明する。
記憶部１１には業務実行プログラムとして取引処理アプリケーションプログラム（ＡＰ）、係員処理ＡＰ、画面合成ＡＰが予め記憶される。取引処理ＡＰは「お預け入れ」「お引出」「振込」「残高照会」など各種取引を行う機能を有する。係員処理ＡＰは「精査」「補充」「回収」「障害対応」「各種設定」など係員が行う処理を実行する機能を有する。画面合成ＡＰ（画面編集部）は後述する画面データファイルを基にその取引操作における取引画面を合成する機能を有する。また、生体認証ＡＰは生体情報入力部５が撮影した利用者の手のひらの画像を静脈の画像を強調するように変換する機能を有する。これらＡＰと主制御部８とにより本実施例の自動取引装置１のハードウェアとして取引処理実行手段と係員処理実行手段および画面合成手段が形成され、主制御部８と業務実行プログラムにより実行される各ステップにより本実施例のハードウェアとして各種の機能手段が形成される。
【００２３】
また、記憶部１１には上記の各機能手段が用いるデータとして各操作誘導画面・係員処理画面の画面背景および文字ボタンや操作ボタン、入力された金額等を表示する入力内容表示欄等の表示部品のボタン名や表題名のテキストデータとその表示枠の形状や表示色からなる部品イラスト、取引画面に取引操作の案内文言を表示するための案内文言データ、並びに取引画面と係員処理画面に対応させて予め設定されたそれぞれの画面の画面背景、案内文言データ、必要な表示部品の種類とこれを表示する画面上の座標領域等からなる画面構成を記した画面構成テーブル等が画面データファイル（画面記憶部）として格納されている。
【００２４】
また、記憶部１１には音声データファイルが予め記憶されている。音声データファイルには「いらっしゃいませ」「ありがとうございました」といった挨拶音声データ、「ご希望のお取引を選択してください」「暗証番号を入力してください」といった取引案内音声
データ、「いち」「に」「まん」「せん」「えん」といった金額等を音声出力するための音声部品データ等が記憶されている。
【００２５】
更に、記憶部１１には一時作業エリアが設けられており、取引中に顧客が入力部７から入力した情報やカード処理部３で読み取ったカードの情報等が記憶される。以下、取引中に顧客が入力した情報・カードの情報・また、口座残高・振込先口座の氏名など顧客の操作によってホストコンピュータ１３と通信して得られた情報を総称して利用者情報とする。
【００２６】
自動取引装置１の主制御部８が、画面合成ＡＰにより取引画面を合成するときの作動は以下のように実行される。
【００２７】
主制御部８が取引画面（例えば図１に示す暗証番号入力及び生体認証画面）を表示する場合は、主制御部８は記憶部１１に格納されている画面データファイルの取引画面構成テーブルを検索して該当する取引画面（暗証番号入力及び生体認証画面）の画面構成を読出し、この画面構成に記された画面背景と表示部品の部品イラストと案内文言データとをそれぞれ画面データファイルから読出し、これらに画面構成に記された座標領域を添付した画面構成情報を画面合成ＡＰに引渡すと共に、画面上の座標領域に対応させた表示部品のボタン名や表題名のテキストデータと表示枠の形状を入力受付情報として記憶部１１に一時保存する。
【００２８】
画面構成情報を受取った画面合成ＡＰは、その画面背景の案内文言表示部に画面構成情報の案内文言データの案内文言（「暗証番号入力」「暗証番号を入力してください」「右手を認証部に下の図のようにのせてください  自動的に認証します」）を配置し、部品イラスト（「０」〜「９」ボタン及び「取消」）を画面構成情報の座標領域に合わせて配置して取引画面の表示データを合成し、これを主制御部８へ転送する。
取引画面の表示データの転送を受けた主制御部８は、これを表示部２に送ってその画面に合成された取引画面を表示する。
【００２９】
このようにして表示された取引画面により主制御部８が、取引処理ＡＰにより入力を受付けてその入力内容を認識するときの作動は以下のように実行される。
【００３０】
顧客が表示部２の画面に表示された取引画面（例えば図１に示す暗証番号入力及び生体認証画面）から操作ボタンを指触してボタンを押下した場合は、主制御部８は入力部７のタッチパネルからの位置信号により押下された画面上の座標位置を読取り、その座標位置を基に記憶部１１に一時保存されている入力受付情報を検索して該当する座標位置を含む座標領域のボタン名のテキストデータを読出し、このテキストデータに基づいて押下されたボタンによる入力を受付けてその内容を認識する。
【００３１】
例えば、顧客が操作ボタンにより「取消」を選択して押下した場合は、主制御部８は座標位置を基にボタン名のテキストデータ「取消」を読出し、これに基づいて操作ボタン「取消」による入力を受付けてその内容を操作ボタンによる「取消」と認識し、その後の作動における移行先の判定等に用いる。
【００３２】
上記のようにして、本実施例の画面合成手段による取引画面の合成および入力受付手段による文字ボタンおよび操作ボタンによる入力の受付、並びに主制御部８と業務実行プログラムにより実行されるステップにより形成される機能手段としての認識手段による各種の入力内容の認識が実行される。
【００３３】
次に、ＩＣカードについて図７及び図８を用いて説明する。図７は本件特許で用いられるＩＣカード２０のブロック図であり、図８はＩＣカード２０の記憶部１９の内容を説明する図である。通信部１８はＩＣコンタクトを有し、自動取引装置と情報の授受を行う。また、記憶部１９は各種プログラムや各種データを記憶するほか、各種プログラムの動作に必要な一時記憶領域を有する。制御部１７は通信部１８を介して自動取引装置と通信を行い、必要に応じて記憶部１９のデータの送受信を行う。
【００３４】
次に記憶部１９の記憶内容の説明を行う。
記憶部１９にはプログラムとして取引処理プログラム、生体情報登録プログラム、生体情報比較プログラム、暗号処理プログラムが予め記憶される。取引処理プログラムは自動取引装置からの要求に応じて口座番号や口座科目を送信する機能や、振込カード機能として、振込先の情報の登録／参照や依頼人の情報の登録／参照機能を有する。生体情報登録プログラムは生体情報を本ＩＣカード２０に登録するときに用いられ、自動取引装置から受取った利用者の生体情報を暗号化のうえ、記憶する。生体情報比較プログラムは、生体情報を利用して取引を行う時に用いられ、自動取引装置から受取った利用者の生体情報を
予め記憶された利用者の生体情報と比較して類似度を求め、取引可否を判断して自動取引装置に結果を通知する。暗号処理プログラムは記憶部１９の各ファイルのデータの暗号・復号する機能を有する。
【００３５】
また、記憶部１９には上記のプログラムが利用するデータとして、生体情報データファイルが記憶される。このファイルの中には、利用者の生体情報データが暗号化されて記憶されており、認証時に読み出されて使用される。
また、記憶部１９には取引情報ファイルが記憶される。このファイルの中には、利用者の取引支店番号・科目・口座番号等が記憶された口座情報データと、振込カード機能としての利用時に使用する振込先銀行・支店・口座・科目・名義人等が記録された振込情報データとが格納されている。
更に、記憶部１９には一時作業エリアが設けられており、プログラムが各種処理を行う際の一時的な情報記憶に用いられる。
【００３６】
以下に、図９に示すフローチャートを用い、Ｓで示すステップに従って本実施例の引出処理について説明する。なお、図９では本発明に関連する部分を詳細に記載し、従来と変わりない部分については簡潔に記載した。
【００３７】
金融機関等の係員は、始業時等に電源を投入して自動取引装置１の各部へ電力を供給する。これにより自動取引装置１の記憶部１１に格納されている業務実行プログラムが自動的に起動し、図示せぬ初期化作業の後、取引選択画面を表示する（Ｓ１）。
【００３８】
取引選択画面には、操作ボタンの押下を促す旨の案内文言と出金取引のための「お引き出し」、入金取引のための「お預け入れ」、振込取引のための「お振込み」、口座残高を照会する残高照会取引のための「残高照会」等の操作ボタンが表示される。
【００３９】
本実施例では、利用者が取引選択画面から「お引き出し」を選択した場合について説明する（Ｓ２）。
認識した入力内容が操作ボタンによる「お預け入れ」等の「お引き出し」以外の操作ボタンによる入力内容の場合は取引処理ＡＰによる当該取引の処理を実行する（Ｓ２１）。この場合の取引処理の作動はその説明を省略する。選択された取引処理の実行を終えた主制御部８は、その取引処理を終了させ、ステップＳ１へ戻って表示部２の画面に初期画面を表示しながら顧客待ち状態で待機する。
【００４０】
利用者が「お引き出し」を選択した場合、主制御部８は利用者にキャッシュカードの挿入を促す画面を画面合成ＡＰによって生成し表示部２に表示して、利用者がキャッシュカードを挿入するまで待機する（Ｓ３）。カード制御部３はキャッシュカードを受け付けるとまずカードの種類が磁気カードかＩＣカードかを磁気ストライプの情報から識別する（Ｓ４）。磁気カードである場合は磁気カード用の取引処理を実行する（Ｓ２２）。ＩＣカードである場合は、ＩＣカードと通信を行い、口座番号・口座科目等取引に必要な情報を読み取り、主制御部８へ送信する。
【００４１】
主制御部８はカード制御部３より利用者の口座番号等の情報を受信すると、利用者に暗証番号入力及び生体認証画面（図１）を画面合成ＡＰを用いて生成し表示部２に表示する（Ｓ５）。図１に示される画面は左側の第１の領域２１と右側の第２の領域２２に分けられる。
【００４２】
第１の領域２１は、暗証番号・金額などの入力を利用者に案内し、ボタンを表示して入力を受け付ける領域であり、「暗証番号を入力してください」といった誘導表示のほか、暗証番号を入力するための数字キー２４や取引を中止するための取消キー２５を備える。また、利用者が入力した暗証番号の桁数を案内するため、入力桁数表示２３を備える。なお、図１で示した状態は暗証番号を１桁入力した状態であり、入力済として黒丸が１つ、未入力として白丸が３つ表示される。
【００４３】
第２の領域２２は利用者に生体認証を行うための案内を行う領域であり、生体情報入力部５の画像２６が表示され、手２７を置く位置を画面上で図示するとともに、「右手を認証部に下の図のようにのせてください  自動的に認証します」と利用者に右手を生体情報入力部５にのせるよう案内を行う。
【００４４】
Ｓ６とＳ７では、利用者の生体情報の取得と暗証番号の入力が両方共受け付けられる状態となる。
【００４５】
Ｓ６では利用者の生体情報が認証されたか否かを判断する。具体的には、まず主制御部８は生体情報入力部５に手が置かれたか否かを入力された画像から判断し、手が置かれた場合は生体情報を取り込み、静脈の画像を抽出した上でカード処理部３を通じてＩＣカード２０に送信する。ＩＣカード２０の制御部１７は自動取引装置１より生体情報を受信すると、記憶部１９に予め登録されている利用者の生体情報を復号した上で両者を比較し、類似度を求める。制御部１７は類似度によって本人か否かを判定し、結果を自動取引装置１に送信する。自動取引装置の主制御部８はカード処理部３より生体認証の結果を受信し、本人と確認された場合は後述するＳ２３に処理を進め、本人と確認されない場合は規定回数に達するまでＳ７での暗証番号入力処理と並行して生体情報入力・照合を繰り返す。
【００４６】
Ｓ７では、主制御部８は利用者が暗証番号（４桁）を入力し終えたか否かを判定する。入力が終わっていると判定するとＳ８へ移動し、入力が終わっていない場合はＳ６へ戻る。
【００４７】
ここで、Ｓ２３の処理について説明する。Ｓ２３では生体認証が済んでいるため、主制御部８は図１０で示すような暗証入力画面を画面合成ＡＰを用いて生成し、表示部２に表示する。図１０の画面では、第１の領域２１に表示されている内容は図１と同様であるが、第２の領域２２については、生体認証が終了しているため、「認証は終了しました  ご本人と確認出来ました  右手を離してください」といったメッセージ２８を表示する。
【００４８】
Ｓ２４では主制御部８は利用者が暗証番号を入力するまで待機する。利用者は暗証番号を数字キー２４によって入力する。主制御部は暗証番号の入力を確認するとＳ２５へと処理を進める。
【００４９】
次に、Ｓ８の処理について説明する。主制御部８は利用者に金額番号入力及び生体認証画面（図１１）を画面合成ＡＰを用いて生成し表示部２に表示する。
【００５０】
第１の領域２１は、お引出し金額を入力を利用者に案内し、ボタンを表示して入力を受け付ける領域であり、「お引出し金額を入力し「円」を押して下さい」といった誘導表示のほか、金額を入力するための数字キー２９や「万」キー３０、「千」キー３１、「円」キー３２、金額を訂正するための訂正キー３３、取引を中止するための取消キー２５を備える。また、利用者が入力した金額を金額表示３４で表示する。
【００５１】
第２の領域２２はＳ５での第２の領域２２の表示と同様、利用者に生体認証を行うための案内を行う領域であり、生体情報入力部５の画像２６が表示され、手を置く位置を手の画像２７によって画面上で図示するとともに、「右手を認証部に下の図のようにのせてください  自動的に認証します」と利用者に右手を生体情報入力部５にのせるよう案内を行う。
【００５２】
Ｓ９とＳ１０では、利用者の生体情報の取得とお引出し金額の入力が両方共受け付けられる状態となる。
【００５３】
Ｓ９ではＳ６と同様、利用者の生体情報が認証されたか否かを判断する。具体的には、まず主制御部８は生体情報入力部５に手が置かれたか否かを入力された画像から判断し、手が置かれた場合は生体情報を取り込み、静脈の画像を抽出した上でカード処理部３を通じてＩＣカード２０に送信する。ＩＣカード２０の制御部１７は自動取引装置１より生体情報を受信すると、記憶部１９に予め登録されている利用者の生体情報を復号した上で両者を比較し、類似度を求める。制御部１７は類似度によって本人か否かを判定し、結果を自動取引装置１に送信する。自動取引装置の主制御部８はカード処理部３より生体認証の結果を受信し、本人と確認された場合は後述するＳ２３に処理を進め、本人と確認されない場合は規定回数に達するまでＳ１０での金額入力処理と並行して生体情報入力・照合を繰り返す。
【００５４】
Ｓ１０では、主制御部８は利用者がお引出し金額を入力し終えたか否かを判定する。入力が終わっていると判定するとＳ１１へ移動し、入力が終わっていない場合はＳ９へ戻る。
【００５５】
ここで、Ｓ２５の処理について説明する。Ｓ２５では生体認証が済んでいるため、主制御部８は図１２で示すような金額入力画面を画面合成ＡＰを用いて生成し、表示部２に表示する。図１２の画面では、第１の領域２１に表示されている内容は図１１と同様であるが、第２の領域２２については、生体認証が終了しているため、「認証は終了しました  ご本人と確認出来ました  右手を離してください」といったメッセージ２８を表示する。
【００５６】
Ｓ２６では主制御部８は利用者がお引出し金額を入力するまで待機する。利用者はお引出し金額を数字キー２４によって入力する。主制御部８は金額入力を確認すると、Ｓ２７へ処理を進める。
【００５７】
Ｓ１１では、主制御部８は口座科目、口座番号及び利用者が入力した暗証番号・お引出し金額をホストコンピュータ１４へ通信部９を介して送信する。ホストコンピュータ１４は口座科目・口座番号から利用者の口座の暗証番号及び残高を調べ、利用者が入力した暗証番号と比較し、また残高からお引出し金額を差し引くことが出来るか否かを判断する。比較・判断の結果、暗証番号が一致し、かつ引出可能の場合は取引可能の旨のコードと利用者の取引後の口座残高及びご利用可能残高を自動取引装置１へ送信し、相違する場合は暗証相違や口座残高不足である旨のエラーコードを自動取引装置１へ送信する。
【００５８】
また、Ｓ１１では主制御部８は前述の動作と並行してお引出し金額に相当する貨幣の出金を準備するよう紙幣処理部４に指示する。紙幣処理部４は指示を受けると図示せぬ紙幣収納部よりお引出し金額に相当する紙幣を繰出し、出金の準備を行う。
【００５９】
Ｓ１２では、主制御部８はＳ１１のホスト通信・貨幣計数と並行して、生体認証画面（図１３）を画面合成ＡＰを用いて生成し表示部２に表示する。
【００６０】
図１３では、利用者の取引に必要な入力は終了しているので、画面中央に生体情報入力部５の画像２６が表示され、手２７を置く位置を画面上で図示するとともに、「右手を認証部に下の図のようにのせてください  自動的に認証します」と利用者に右手を生体情報入力部５にのせるよう案内を行う。
なお、本実施例では画面中央に表示するようにしたが、図１１の第２の領域２２と同じ位置に表示しても良い。この場合は、第１の領域２１は無表示とするか、広告等を表示しても良い。
【００６１】
Ｓ１３ではＳ６と同様、利用者の生体情報が認証されたか否かを判断する。具体的には、まず主制御部８は生体情報入力部５に手が置かれたか否かを入力された画像から判断し、手が置かれた場合は生体情報を取り込み、静脈の画像を抽出した上でカード処理部３を通じてＩＣカード２０に送信する。ＩＣカード２０の制御部１７は自動取引装置１より生体情報を受信すると、記憶部１９に予め登録されている利用者の生体情報を復号した上で両者を比較し、類似度を求める。制御部１７は類似度によって本人か否かを判定し、結果を自動取引装置１に送信する。自動取引装置の主制御部８はカード処理部３より生体認証の結果を受信し、本人と確認された場合はＳ１４に処理を進め、本人と確認されない場合は規定回数に達するまで生体情報入力・照合を繰り返す。
【００６２】
ここでＳ２７について説明する。Ｓ２７では、Ｓ１１と同様、主制御部８は口座科目、口座番号及び利用者が入力した暗証番号・お引出し金額をホストコンピュータ１４へ通信部９を介して送信し、ホスト処理を行う。また、Ｓ２７では主制御部８は前述の動作と並行してお引出し金額に相当する貨幣の出金を準備するよう紙幣処理部４に指示する。紙幣処理部４は指示を受けると図示せぬ紙幣収納部よりお引出し金額に相当する紙幣を繰出し、出金の準備を行う。
【００６３】
Ｓ１４では、主制御部８はホストコンピュータ１４からの結果の受信と、紙幣処理部４での出金準備が完了するまで待つ。
【００６４】
Ｓ１５では、主制御部は画面合成ＡＰに図示せぬカードと明細票の受け取り画面を生成させ、表示部２に表示させる。また、カード処理部３に保留されているカードを放出し、明細票処理部１２では取引記録を印字した明細票を印字し放出する。利用者はカード及び明細票を受取る。
【００６５】
Ｓ１６では、主制御部は画面合成ＡＰに図示せぬ貨幣の受け取り画面を生成させ、表示部２に表示させる。また、紙幣処理部４に保留されている紙幣を放出させる。利用者は紙幣を受取る。
【００６６】
以上説明したように、本実施例では自動取引装置において、暗証番号や金額入力等の取引操作入力と生体認証を並行して行うようにしたことにより、操作に慣れた人は右手で生体認証を行い、左手で取引操作入力を行うことが出来、取引操作に係る時間を短縮できるという効果が得られる。また、操作に慣れない人で右手だけで操作する人であっても、取引操作入力を行ってから生体認証を行うことも、生体認証を行ってから取引操作入力を行うことのいずれも可能であり、利便性の高くする効果が得られる。
【００６７】
また、本実施例では自動取引装置において、ホストとの通信や貨幣の計数動作と生体認証を並行して行うようにしたことにより、取引操作に係る時間を短縮できるという効果が得られる。生体認証は装置に合わせて人間が手をあわせるという動作が必要であるため、時間が必要であり、時間が必要な動作を並行して行うことは取引操作時間短縮に効果があるものである。
【００６８】
なお、上記実施例においては、取引操作入力と生体認証を並行して行い、ホスト通信や貨幣計数に必要な取引操作入力が行われた後にホスト通信や貨幣計数と生体認証とを並行して行うように記載したが、本発明はそれに限定されない。ホスト通信や貨幣計数に必要な取引操作入力が行われた後で、ホスト通信や貨幣計数と生体認証を並行して行うようにしても良い。
【００６９】
また、上記実施例においては、生体認証の方法として、手のひら静脈認証を用いたが本発明はそれに限定されない。例えば、指静脈認証など、他の認証方法によってもよい。
【００７０】
また、上記実施例においては、表示部２の表示を左右に分け、左側を取引操作の入力に用い、右側を生体認証の案内に用いたが本発明はそれに限定されない。取引操作案内と生体認証案内とを上下に分けて表示しても良いし、画面上の表示案内の文言を分けて表示しても良い。
【００７１】
また、上記実施例においては、表示部２の表示を左右に分けたが、画面データは予め左右に分割した画面データを作成し、記憶部１１の画面データファイルに記憶するように構成したが本発明はそれに限定されない。左右に分割したそれぞれの画面データを画面データファイルに記憶させ、表示を行う時に画面合成ＡＰによって合成するように構成しても良い。
【００７２】
また、上記実施例においては支払（お引出し）取引について説明したが、本発明はそれに限定されない。振込（送金）や残高照会、公共料金支払など他の取引にも適用可能である。
【００７３】
なお、特許請求の範囲記載の第１の制御部、第２の制御部、第３の制御部はいずれも本実施例の主制御部８が相当する。主制御部が実行する業務実行プログラムは、第１の制御部については記憶部１１の取引処理ＡＰの引出取引の暗証番号入力及びお引出し金額入力部が相当する。また、第２の制御部については、取引処理ＡＰの生体認証画面を表示する部分及び生体認証ＡＰが相当する。また、第３の制御部については、取引処理ＡＰの引出取引全体を制御する部分が相当するが、本発明はこれに限定されない。
【図面の簡単な説明】
【００７４】
【図１】暗証番号入力及び生体認証画面を説明する図
【図２】自動取引装置を説明する図
【図３】自動取引装置の操作パネル部を説明する図
【図４】生体認証時の手の置き方を説明する図
【図５】自動取引装置を示すブロック図
【図６】記憶部の内容を説明する図
【図７】ＩＣカードのブロック図
【図８】ＩＣカードの記憶部の内容を説明する図
【図９】実施例の処理の流れを説明する図
【図１０】暗証番号入力画面を説明する図
【図１１】引出金額及び生体認証画面を説明する図
【図１２】引出金額入力画面を説明する図
【図１３】生体認証画面を説明する図
【図１４】従来の処理の流れを説明する図
【符号の説明】
【００７５】
１    自動取引装置
２    表示部
３    カード処理部
４    紙幣処理部
５    生体情報入力部
６    顧客操作部
７    入力部
８    主制御部
９    通信部
１０  音声出力部
１１  記憶部
１２  明細票処理部
１３  通帳処理部
１４  ホストコンピュータ
１５  操作パネル
１６  手
１７  制御部
１８  通信部
１９  記憶部
２０  ＩＣカード
２１  第１の領域
２２  第２の領域
２３  入力桁数表示
２４  数字キー
２５  取消キー
２６  生体情報入力部の画像
２７  手の画像
２８  メッセージ
２９  数字キー
３０  万キー
３１  千キー
３２  円キー
３３  訂正キー
３４  金額表示
【図１】
0004835100.tif 000002
【図２】
0004835100.tif 000003
【図３】
0004835100.tif 000004
【図４】
0004835100.tif 000005
【図５】
0004835100.tif 000006
【図６】
0004835100.tif 000007
【図７】
0004835100.tif 000008
【図８】
0004835100.tif 000009
【図９】
0004835100.tif 000010
【図１０】
0004835100.tif 000011
【図１１】
0004835100.tif 000012
【図１２】
0004835100.tif 000013
【図１３】
0004835100.tif 000014
【図１４】
0004835100.tif 000015